【手続補正書】
【提出日】平成25年8月7日(2013.8.7)
【手続補正１】
【補正対象書類名】特許請求の範囲
【補正対象項目名】全文
【補正方法】変更
【補正の内容】
【特許請求の範囲】
【請求項１】
移動通信システムにおける端末がバッファ状態報告(Buffer State Report:ＢＳＲ）を伝送する方法であって、
複数のバッファ状態テーブルを有する前記端末で使用されるバッファ状態テーブルを指示する情報を含む制御メッセージを基地局から受信するステップと、
前記制御メッセージにより指示された前記バッファ状態テーブルを用いて前記基地局に前記バッファ状態報告を伝送するステップと、を含むことを特徴とするバッファ状態報告の伝送方法。
【請求項２】
前記制御メッセージは、無線リソース制御(Radio Resource Control:ＲＲＣ)メッセージであることを特徴とする請求項１に記載のバッファ状態報告の伝送方法。
【請求項３】
前記バッファ状態報告を伝送するステップは、前記制御メッセージにより指示された前記バッファ状態テーブルに基づいて各論理チャンネルグループ(Logical Channel Group:ＬＧＣ)に対して伝送可能なデータの量に対する情報を伝送するステップを含み、
各論理チャンネルグループは、サービスデータに生成された論理チャンネルをグループ化して形成されることを特徴とする請求項１又は２に記載のバッファ状態報告の伝送方法。
【請求項４】
前記バッファ状態テーブルのバッファ状態値は、予め定められた最小値と予め定められた最大値との間でバッファ状態値の個数だけをログ的にサンプリングして獲得され、各バッファ状態値は、前記バッファ状態テーブルでインデックスにより指示されることを特徴とする請求項１乃至３のいずれか一項に記載のバッファ状態報告の伝送方法。
【請求項５】
移動通信システムにおけるバッファ状態報告(Buffer State Report:ＢＳＲ）を伝送する端末であって、
基地局から制御メッセージを受信する受信器と、
前記基地局に前記バッファ状態報告のためのメッセージを伝送する送信器と、
複数のバッファ状態テーブルを有する前記端末で使用されるバッファ状態テーブルを指示する情報を含む制御メッセージを基地局から受信し、前記制御メッセージにより指示された前記バッファ状態テーブルを用いて前記基地局に前記バッファ状態報告を伝送する動作を制御する制御器と、を含むことを特徴とする端末。
【請求項６】
前記制御メッセージは、無線リソース制御(Radio Resource Control:ＲＲＣ)メッセージであることを特徴とする請求項５に記載の端末。
【請求項７】
前記制御器は、前記バッファ状態報告を伝送する場合、前記制御メッセージにより指示された前記バッファ状態テーブルに基づいて各論理チャンネルグループ(Logical Channel Group:ＬＧＣ)に対して伝送可能なデータの量に対する情報を前記基地局に伝送することをさらに制御し、各論理チャンネルグループは、サービスデータに生成された論理チャンネルをグループ化して形成されることを特徴とする請求項５又は６に記載の端末。
【請求項８】
前記バッファ状態テーブルのバッファ状態値は、予め定められた最小値と予め定められた最大値との間でバッファ状態値の個数だけをログ的にサンプリングして獲得され、各バッファ状態値は、前記バッファ状態テーブルでインデックスにより指示されることを特徴とする請求項５乃至７のいずれか一項に記載の端末。
【請求項９】
移動通信システムにおける基地局がバッファ状態報告(Buffer State Report:ＢＳＲ）を受信する方法であって、
複数のバッファ状態テーブルを有する端末で使用されるバッファ状態テーブルを指示する情報を含む制御メッセージを前記端末に伝送するステップと、
前記制御メッセージにより指示された前記バッファ状態テーブルに基づく前記バッファ状態報告を前記端末から受信するステップと、を含むことを特徴とするバッファ状態報告受信方法。
【請求項１０】
前記制御メッセージは、無線リソース制御(Radio Resource Control:ＲＲＣ)メッセージであることを特徴とする請求項９に記載のバッファ状態報告受信方法。
【請求項１１】
前記バッファ状態報告は、前記制御メッセージにより指示された前記バッファ状態テーブルに基づいて各論理チャンネルグループ(Logical Channel Group:ＬＧＣ)に対して伝送可能なデータの量を報告する情報を含み、各論理チャンネルグループは、サービスデータに生成された論理チャンネルをグループ化して形成されることを特徴とする請求項９又は１０に記載のバッファ状態報告受信方法。
【請求項１２】
前記バッファ状態テーブルのバッファ状態値は、予め定められた最小値と予め定められた最大値との間でバッファ状態値の個数だけをログ的にサンプリングして獲得され、各バッファ状態値は、前記バッファ状態テーブルでインデックスにより指示されることを特徴とする請求項９乃至１１のいずれか一項に記載のバッファ状態報告受信方法。
【請求項１３】
移動通信システムにおけるバッファ状態報告(Buffer State Report:ＢＳＲ）を受信する基地局であって、
端末に制御メッセージを伝送する送信器と、
前記端末から前記バッファ状態報告のためのメッセージを受信する受信器と、
複数のバッファ状態テーブルを有する前記端末で使用されるバッファ状態テーブルを指示する情報を含む制御メッセージを前記端末に伝送し、前記制御メッセージにより指示された前記バッファ状態テーブルに基づく前記バッファ状態報告を前記端末から受信する動作を制御する制御器と、を含むことを特徴とする基地局。
【請求項１４】
前記制御メッセージは、無線リソース制御(Radio Resource Control:ＲＲＣ)メッセージであることを特徴とする請求項１３に記載の基地局。
【請求項１５】
前記バッファ状態報告は、前記制御メッセージにより指示された前記バッファ状態テーブルに基づいて各論理チャンネルグループ(Logical Channel Group:ＬＧＣ)に対して伝送可能なデータの量を報告する情報を含み、各論理チャンネルグループは、サービスデータに生成された論理チャンネルをグループ化して形成されることを特徴とする請求項１３又は１４に記載の基地局。
【請求項１６】
前記バッファ状態テーブルのバッファ状態値は、予め定められた最小値と予め定められた最大値との間でバッファ状態値の個数だけをログ的にサンプリングして獲得され、各バッファ状態値は、前記バッファ状態テーブルでインデックスにより指示されることを特徴とする請求項１３乃至１５のいずれか一項に記載の基地局。
【請求項１７】
移動通信システムにおける端末がバッファ状態報告(Buffer State Report:ＢＳＲ）を伝送する方法であって、
複数のアップリンクキャリアに対する基準ダウンリンクキャリアを決定するステップと、
前記複数のアップリンクキャリアのアップリンク伝送タイミングを同一に調整するステップと、
前記同一に調整されたアップリンク伝送タイミングを有する前記アップリンクキャリアをアップリンクタイミンググループでグループ化するステップと、
前記アップリンクタイミンググループに対応する全てのアップリンクグラントを考慮して前記バッファ状態報告のためのバッファ状態値を決定するステップと、
前記決定されたバッファ状態値に基づいて基地局に前記バッファ状態報告を伝送するステップと、を含むことを特徴とするバッファ状態報告の伝送方法。
【請求項１８】
前記アップリンク伝送タイミングを調整するステップは、
前記基準ダウンリンクキャリアのフレーム境界を基準として前記アップリンクキャリアのフレーム境界を調整するステップをさらに含むことを特徴とする請求項１７に記載のバッファ状態報告の伝送方法。
【請求項１９】
前記バッファ状態値は、各論理チャンネルグループに対して前記端末が現在格納する伝送可能なデータの量から最後のＭＡＣ ＰＤＵを含む全てのＭＡＣ ＰＤＵに挿入されるデータの量を引いて獲得された値に対応するバッファ状態値を選択して決定されることを特徴とする請求項１７又は１８に記載のバッファ状態報告の伝送方法。
【請求項２０】
正規バッファ状態報告または周期的バッファ状態報告がトリガされた場合、ＭＡＣ ＰＤＵが十分なパディング空間を有しているとしても、パディングバッファ状態報告を挿入しないように決定するステップをさらに含むことを特徴とする請求項１７乃至１９のいずれか一項に記載のバッファ状態報告の伝送方法。
【請求項２１】
移動通信システムにおけるバッファ状態報告(Buffer State Report:ＢＳＲ）を伝送する端末であって、
基地局にバッファ状態報告のためのメッセージを伝送する送信器と、
複数のアップリンクキャリアに対する基準ダウンリンクキャリアを決定し、前記複数のアップリンクキャリアのアップリンク伝送タイミングを同一に調整し、前記同一に調整されたアップリンク伝送タイミングを有する前記アップリンクキャリアをアップリンクタイミンググループでグループ化し、前記アップリンクタイミンググループに対応する全てのアップリンクグラントを考慮して前記バッファ状態報告のためのバッファ状態値を決定し、前記決定されたバッファ状態値に基づいて前記基地局に前記バッファ状態報告を伝送する動作を制御する制御器と、を含むことを特徴とする端末。
【請求項２２】
前記制御器は、前記基準ダウンリンクキャリアのフレーム境界を基準として前記アップリンクキャリアのフレーム境界を調整することをさらに制御することを特徴とする請求項２１に記載の端末。
【請求項２３】
前記バッファ状態値は、各論理チャンネルグループに対して前記端末が現在格納する伝送可能なデータの量から最後のＭＡＣ ＰＤＵを含む全てのＭＡＣ ＰＤＵに挿入されるデータの量を引いて獲得された値に対応するバッファ状態値を選択して決定されることを特徴とする請求項２１又は２２に記載の端末。
【請求項２４】
前記制御器は、正規バッファ状態報告または周期的バッファ状態報告がトリガされた場合、ＭＡＣ ＰＤＵが十分なパディング空間を有しているとしてもパディングバッファ状態報告を挿入しないように決定することをさらに制御することを特徴とする請求項２１乃至２３のいずれか一項に記載の端末。